(57)【特許請求の範囲】
【請求項１】
ネットワークに接続された複数のネットワーク装置から、当該ネットワーク装置の種別を表す情報である装置種別情報と、当該ネットワーク装置に装備されており当該ネットワーク装置が他のネットワーク装置と接続するために利用されるインタフェース部の特性を表すインタフェース情報と、を取得する装置情報収集手段と、
取得した前記インタフェース情報に基づいて、前記各ネットワーク装置が相互に接続可能か否かを判定する接続判定手段と、
前記各ネットワーク装置が接続可能と判定された場合に、当該各ネットワーク装置間の通信経路であるセクションを設定するセクション設定手段と、
前記ネットワーク装置の前記装置種別情報に応じた、前記各ネットワーク装置間のセクションを設定することを許可する条件を表す接続条件情報が記憶された記憶手段と、
を備え、
前記セクション設定手段は、前記接続判定手段にて接続可能と判定された前記ネットワーク装置の前記装置種別情報に応じた前記接続条件情報にて表される条件を満たすよう、接続可能であると判定された前記各ネットワーク装置間のセクションを設定する、
ネットワーク管理装置。
【請求項２】
請求項１に記載のネットワーク管理装置であって、
前記インタフェース情報は、前記インタフェース部の種別を表す情報を含んでおり、
前記接続判定手段は、前記インタフェース情報に基づいて、前記各ネットワーク装置の前記各インタフェース部の種別が同一である場合に、前記各ネットワーク装置が相互に接続可能であると判定する、
ネットワーク管理装置。
【請求項３】
請求項１又は２に記載のネットワーク管理装置であって、
前記インタフェース情報は、前記ネットワーク部において通信可能な通信容量を表す情報を含んでおり、
前記接続判定手段は、前記インタフェース情報に基づいて、前記各ネットワーク装置の前記各インタフェース部の通信容量が同一である場合に、前記各ネットワーク装置が相互に接続可能であると判定する、
ネットワーク管理装置。
【請求項４】
請求項１又は２に記載のネットワーク管理装置であって、
前記インタフェース情報は、前記ネットワーク部において通信可能な通信容量を表す情報を含んでおり、
前記接続判定手段は、前記インタフェース情報に基づいて、前記各ネットワーク装置の前記各インタフェース部が、当該各インタフェース部の各通信容量のうちいずれか低い方の値の通信容量で通信可能である場合に、前記各ネットワーク装置が相互に接続可能であると判定する、
ネットワーク管理装置。
【請求項５】
請求項１乃至４のいずれかに記載のネットワーク管理装置であって、
前記接続条件情報は、設定を許可するセクションの帯域を表す情報であり、
前記セクション設定手段は、前記接続条件情報にて表される帯域を満たす前記各ネットワーク装置間のセクションを設定する、
ネットワーク管理装置。
【請求項６】
ネットワークに接続された情報処理装置に、
前記ネットワークに接続された複数のネットワーク装置から、当該ネットワーク装置の種別を表す情報である装置種別情報と、当該ネットワーク装置に装備されており当該ネットワーク装置が他のネットワーク装置と接続するために利用されるインタフェース部の特性を表すインタフェース情報と、を取得する装置情報収集手段と、
取得した前記インタフェース情報に基づいて、前記各ネットワーク装置が相互に接続可能か否かを判定する接続判定手段と、
前記各ネットワーク装置が接続可能と判定された場合に、当該各ネットワーク装置間の通信経路であるセクションを設定するセクション設定手段と、
を実現させるためのプログラムであり、
前記セクション設定手段は、前記接続判定手段にて接続可能と判定された前記ネットワーク装置の前記装置種別情報に応じた、前記各ネットワーク装置間のセクションを設定することを許可する条件を表す接続条件情報にて表される条件を満たすよう、接続可能であると判定された前記各ネットワーク装置間のセクションを設定する、
プログラム。
【請求項７】
ネットワークに接続されたネットワーク管理装置にて、
前記ネットワークに接続された複数のネットワーク装置から、当該ネットワーク装置の種別を表す情報である装置種別情報と、当該ネットワーク装置に装備されており当該ネットワーク装置が他のネットワーク装置と接続するために利用されるインタフェース部の特性を表すインタフェース情報と、を取得し、
取得した前記インタフェース情報に基づいて、前記各ネットワーク装置が相互に接続可能か否かを判定し、
前記各ネットワーク装置が接続可能と判定された場合に、当該各ネットワーク装置間の通信経路であるセクションを設定する際に、接続可能と判定された前記ネットワーク装置の前記装置種別情報に応じた、前記各ネットワーク装置間のセクションを設定することを許可する条件を表す接続条件情報にて表される条件を満たすよう、接続可能であると判定された前記各ネットワーク装置間のセクションを設定する、
ネットワーク管理方法。
【発明の詳細な説明】
【技術分野】
【０００１】
本発明は、ネットワーク管理装置にかかり、特に、複数のネットワーク装置間の接続状態を管理するネットワーク管理装置に関する。
【背景技術】
【０００２】
ネットワークに新規のネットワーク装置を接続する場合、当該新規のネットワーク装置のＩＰアドレスが、ネットワークに接続している既存のネットワーク装置のＩＰアドレスと重複しないよう、ＩＰアドレスやサブネットマスクなどのネットワーク情報を管理する必要がある。例えば、図１に示すように、ネットワーク装置であるノード１〜ノード３が接続された１９２．１６８．３．０／２４のネットワークに、新規にノード４を追加した場合には、空きアドレス１９２．１６８．３．４を割り出して、ノード４に割り振る必要がある。
【０００３】
ところが、ネットワークが大規模になるほどＩＰアドレスの管理が煩雑になり、当該ＩＰアドレスの管理に人手を介することで、既に利用中のＩＰアドレスを新規の装置に設定してしまうなど間違いが発生するおそれがあり、ＩＰアドレスの管理に課題があった。
【０００４】
これに対して、特許文献１には、サーバが、ノードに対してＩＰアドレスを自動的に割り当てる技術が開示されており、ネットワークの管理を容易としている。
【先行技術文献】
【特許文献】
【０００５】
【特許文献１】特開平１１−１２２２８３号公報
【発明の概要】
【発明が解決しようとする課題】
【０００６】
一方で、ネットワークにネットワーク装置を登録した場合には、上述したＩＰアドレスだけでなく、パス登録のため、事前にセクションを登録する必要がある。しかしながら、セクションを登録する際には、どのようなネットワーク装置を登録するかによってどのようなセクションを張るか、ということを判断して手動で登録する必要があるため、上述同様に、ネットワーク管理が煩雑となる。例えば、図１の場合には、登録する装置が光装置なのかＳＤＨ装置か、どんなインタフェースであるか、などを人力で判断してセクションを登録する必要があった。従って、ネットワーク装置のセクションを登録するにあたり、管理の負担の増加や、セクション登録の作業工数の増加、という問題が生じていた。
【０００７】
このため、本発明の目的は、上述した課題である、ネットワークの管理の負担の増加とセクション登録の作業工数の増加を解決すること、にある。
【課題を解決するための手段】
【０００８】
上記目的を達成するため、本発明の一形態であるネットワーク管理装置は、
ネットワークに接続された複数のネットワーク装置から、当該ネットワーク装置に装備されており当該ネットワーク装置が他のネットワーク装置と接続するために利用されるインタフェース部の特性を表すインタフェース情報を取得する装置情報収集手段と、
取得した前記インタフェース情報に基づいて、前記各ネットワーク装置が相互に接続可能か否かを判定する接続判定手段と、
前記各ネットワーク装置が接続可能と判定された場合に、当該各ネットワーク装置間の通信経路であるセクションを設定するセクション設定手段と、
を備えた、という構成を取る。
【０００９】
また、本発明の他の形態であるプログラムは、
ネットワークに接続された情報処理装置に、
前記ネットワークに接続された複数のネットワーク装置から、当該ネットワーク装置に装備されており当該ネットワーク装置が他のネットワーク装置と接続するために利用されるインタフェース部の特性を表すインタフェース情報を取得する装置情報収集手段と、
取得した前記インタフェース情報に基づいて、前記各ネットワーク装置が相互に接続可能か否かを判定する接続判定手段と、
前記各ネットワーク装置が接続可能と判定された場合に、当該各ネットワーク装置間の通信経路であるセクションを設定するセクション設定手段と、
を実現させるためのプログラムである。
【００１０】
また、本発明の他の形態であるネットワーク管理方法は、
ネットワークに接続されたネットワーク管理装置にて、
前記ネットワークに接続された複数のネットワーク装置から、当該ネットワーク装置に装備されており当該ネットワーク装置が他のネットワーク装置と接続するために利用されるインタフェース部の特性を表すインタフェース情報を取得し、
取得した前記インタフェース情報に基づいて、前記各ネットワーク装置が相互に接続可能か否かを判定し、
前記各ネットワーク装置が接続可能と判定された場合に、当該各ネットワーク装置間の通信経路であるセクションを設定する、
という構成を取る。
【発明の効果】
【００１１】
本発明は、以上のように構成されることにより、ネットワークの管理の負担を軽減すると共に、セクション登録の作業工数の削減を図ることができる。
【図面の簡単な説明】
【００１２】
【図１】手動でネットワークに新規のネットワーク装置を接続するときの様子を示す図である。
【図２】本発明におけるＮＭＳサーバの構成を示すブロック図である。
【図３】図２に開示したＮＭＳサーバの動作を示すフローチャートである。
【図４】図２に開示したＮＭＳサーバの動作を示すフローチャートである。
【図５】図２に開示したＮＭＳサーバの動作を示すフローチャートである。
【図６】図２に開示したＮＭＳサーバの動作を示す説明図である。
【図７】図２に開示したＮＭＳサーバの動作を示す説明図である。
【図８】図２に開示したＮＭＳサーバの動作を示す説明図である。
【図９】図２に開示したＮＭＳサーバの動作を示す説明図である。
【図１０】図２に開示したＮＭＳサーバの動作を示す説明図である。
【図１１】図２に開示したＮＭＳサーバの動作を示す説明図である。
【図１２】図２に開示したＮＭＳサーバの動作を示す説明図である。
【図１３】図２に開示したＮＭＳサーバの動作を示す説明図である。
【図１４】図２に開示したＮＭＳサーバの動作を示す説明図である。
【図１５】本発明の付記１におけるネットワーク管理装置の構成を示すブロック図である。
【発明を実施するための形態】
【００１３】
＜実施形態１＞
本発明の第１の実施形態を、図２乃至図１４を参照して説明する。図２は、本発明におけるＮＭＳサーバの構成を示す図であり、図３乃至図１４は、ＮＭＳサーバの動作を示す図である。
【００１４】
［構成］
図６に示すように、本実施形態では、ＩＰアドレスが「１９２．１６８．３．０／２４」のネットワークＮに、ネットワーク装置を管理するネットワーク管理装置であるＮＭＳ（Network Management Server）サーバ１が接続されている。また、ネットワークＮには、ＩＰアドレスが「１９２．１６８．３．１００」のクライアント４１と、ＩＰアドレスが「１９２．１６８．３．１」のノード１（３１）と、ＩＰアドレスが「１９２．１６８．３．２」のノード２（３２）と、が接続されている。
【００１５】
なお、ノード１，２は、ネットワーク装置であり、例えば、WDM（Wavelength Division Multiplexing）装置やSDH（Synchronous Digital Hierarchy）装置といった光装置である。このため、図６に示すノード１，２は、光ファイバＡ１で相互に接続され、さらに、通信可能なよう両ノード１，２間の通信経路であるセクションＢ１が設定されている。
【００１６】
なお、ノード１，２は、必ずしも光装置に限定されない。例えば、ノード１，２は、無線装置であってもよく、いかなるネットワーク装置であってもよい。そして、例えば、ノード１，２が無線装置である場合には、両ノード１，２間は、無線通信にてセクションが設定される。
【００１７】
そして、ＮＭＳサーバ１は、図７に示すように、ネットワークＮに新規ノード３（３３）が接続されると、かかる新規ノード３の接続状態を管理する機能を有する。以下、ＮＭＳサーバ１について詳述する。
【００１８】
ＮＭＳサーバ１は、演算装置と記憶装置とを備えた一般的なサーバコンピュータである。そして、ＮＭＳサーバ１は、図２に示すように、所定の記憶媒体に記憶されたプログラムが演算装置に読み込まれることによって構築された、新規装置登録監視部１１と、空きＩＰアドレス調査・更新部１２と、装置情報収集部１３と、接続可否判定部１４と、セクション設定部１５と、を備えている。また、ＮＭＳサーバ１は、記憶装置に形成された、空きＩＰアドレス管理ＤＢ２１と、登録ルール記憶部２２と、を備えている。
【００１９】
上記新規装置登録監視部１１と、空きＩＰアドレス調査・更新部１２とは、常時ネットワークＮを監視することで、当該ネットワークＮに新規のノード３が接続された際に、適切な空きＩＰアドレスを自動で設定する機能を有する。また、装置情報収集部１３と、接続可否判定部１４と、セクション設定部１５とは、上述したように新規のノード３のＩＰアドレスを自動で設定した後に、当該新規ノード３に対してノードに関する情報を吸い上げ、ノード間のセクションを自動で登録する機能を有する。
【００２０】
なお、上記各部１１〜１５の詳細な機能については、後の動作説明時に詳述する。また、空きＩＰアドレス管理ＤＢ２１と登録ルール記憶部２２とに記憶されている情報についても、動作説明時に詳述する。
【００２１】
［動作］
次に、図３乃至図１４を参照して、ＮＭＳサーバ１の動作を説明する。図３乃至図５は、ＮＭＳサーバ１の動作を示すフローチャートであり、図６乃至図１４は、ＮＭＳサーバ１によって管理されるネットワークＮ全体の動作を示す説明図である。
【００２２】
ここで、本実施形態では、ＮＭＳサーバ１とノード１（３１）とノード２（３２）とクライアント４１とが、同一ネットワークＮ上にあることとする。そして、ノード１，２は、それぞれ光装置であることとする。さらに、各装置のＩＰアドレスは、下記のとおりであり、ネットワークに新規の光装置であるノード３を追加する場合を考える。
【００２３】
ＮＭＳサーバ：192.168.3.200
ノード１：192.168.3.1
ノード２：192.168.3.2
【００２４】
まず、ＮＭＳサーバ１の新規装置監視部１１は、ネットワークＮに対して新規ノード３が接続されていないか、ネットワークＮ経由もしくはＮＭＳサーバ１に接続されたノード１，２を通じた伝送路経由で、呼びかけを行う（図３のステップＳ１）。つまり、ＮＭＳサーバ１は、図６の矢印に示すように、ノード１とノード２に、新規装置が接続されていないか呼びかける。すると、各ノード１，２は、隣接装置との光ファイバの導通状態が分かるため、図６の矢印に示すように、ノード１は、「ノード２と接続しているが新規装置は接続されていない」、ノード２は「ノードと接続しているが新規装置は接続されていない」という情報を返答する。
【００２５】
このとき、図７に示すように、ノード３がネットワークＮに追加され、当該ノード３に接続された光ファイバＡ２が隣接装置であるノード２に対して接続されると、当該ノード２は、光ファイバＡ２経由でノード３を認識し、矢印に示すように、「新規装置が接続された」という情報をＮＭＳサーバ１へ返答する。このように、ＮＭＳサーバ１が呼びかけを行った結果、「新規装置有り」との返答が返ってきた場合には（図３のステップＳ２でＹｅｓ）、ネットワークＮに新規ノードが存在するので、自動装置登録に進む（図３のステップＳ３）。一方、「新規装置無し」との返答が返ってきた場合には（図３のステップＳ２でＮｏ）、ネットワークＮには既存のノードしか存在していないので、ステップＳ１へ戻り、ネットワークＮの監視を継続する。
【００２６】
次に、図３のステップＳ３に示す「新規装置の自動登録」、つまり、ネットワークＮに接続された新規ノード３にＩＰアドレスを割り振る処理について、図４のフローチャート及び図６〜図１１の説明図を参照して説明する。
【００２７】
まず、空きＩＰアドレス調査・更新部１２が、ネットワークＮの全ＩＰアドレスに対してpingを打ち、ＩＰアドレスの使用状態を調査する（図４のステップＳ１１，Ｓ１２）。例えば、図８に示すように、ＮＭＳサーバ１はネットワークＮに対して、下記のようなpingを投げる。
【００２８】
# ping 192.168.3.1
# ping 192.168.3.2
・・・
# ping 192.168.3.254
【００２９】
すると、図８に示すように、下記ＩＰアドレスを持つ装置及びクライアント等から、pingの応答が帰ってくる。
192.168.3.1
192.168.3.2
192.168.3.100
192.168.3.200
【００３０】
上述したように、応答があることにより「pingが通る」場合には（図４のステップＳ１２でＹｅｓ）、既存の装置などが使用しているＩＰアドレスであるので、空きＩＰアドレス調査・更新部１２は、そのＩＰアドレスを空きＩＰアドレス管理ＤＢ２１から削除する（図４のステップＳ１３）。一方、応答がなく「pingが通らない」場合には（図４のステップＳ１２でＮｏ）、空きＩＰアドレスであるので、空きＩＰアドレス調査・更新部１２は、そのＩＰアドレスを空きＩＰアドレス管理ＤＢ２１に追加する（図４のステップＳ１４）。
【００３１】
つまり、図９に示すように、ＮＭＳサーバ１の空きＩＰアドレス管理ＤＢ２１（図９等では、単に「ＤＢ」と図示する。）には、pingが通らなかった下記ＩＰアドレスが登録される。
【００３２】
192.168.3.3
192.168.3.4
・・・
192.168.3.9
192.168.3.10
192.168.3.11
・・・
192.168.3.99
192.168.3.101
・・・
192.168.3.199 
192.168.3.201
・・・
192.168.3.254
【００３３】
その後、空きＩＰアドレス調査・更新部１２は、新規ノード３に既にＩＰアドレスが設定されていないか確認する（図４のステップＳ１５）。このとき、新規ノード３のＩＰアドレスが「設定されていない」場合には（図４のステップＳ１５でＮｏ）、登録ルール記憶部２２に記憶されている「ルール１」に従って、空きＩＰアドレス管理ＤＢ２１に登録されているＩＰアドレスを、新規ノード３に割り振る（図４のステップＳ１７）。
【００３４】
ここで、登録ルール記憶部２２には、新規装置にＩＰアドレスを割り振るときのルールとして「ルール１」が記憶されており、例えば、下記内容のルールである。
【００３５】
「ルール１」
・割り振るＩＰアドレスは番号の小さい順に割り当てる。
・割り振るＩＰアドレスのホスト部は１０の倍数とする。
【００３６】
上述した内容の「ルール１」の場合には、図１０に示すように、ノード３にＩＰアドレス「192.168.3.10」が割り振られることとなる。以上のようにして新規ノード３のＩＰアドレスを登録し（図４のステップＳ１８）、その後、空きＩＰアドレス調査・更新部１２は、空きＩＰアドレス管理ＤＢ２１の内容を更新する（図４のステップＳ１９）。ここでは、新規ノード３にＩＰアドレス「192.168.3.10」を割り振ったため、図１１に示すように、空きＩＰアドレス管理ＤＢ２１内からＩＰアドレス「192.168.3.10」を削除する。
【００３７】
なお、上述した図４のステップＳ１５で、新規ノード３のＩＰアドレスが「既に設定されている」場合には（図４のステップＳ１５でＹｅｓ）、さらに、新規ノード３に設定されているＩＰアドレスが空きＩＰアドレス管理ＤＢ２１にあるか確認する（図４のステップＳ１６）。そして、空きＩＰアドレス管理ＤＢ２１に無い場合には（図４のステップＳ１６でＮｏ）、ステップＳ１８に進み、上述したように、新規ノード３にＩＰアドレスを割り振る。
【００３８】
以上のようにして、新規ノード３にＩＰアドレスを割り振って登録した後に、当該新規ノード３と接続するノード２とのセクションを張る処理を行う（図３のステップＳ４）。このセクション設定処理について、図５のフローチャート及び図１２〜図１４の説明図を参照して説明する。
【００３９】
まず、ＮＭＳサーバ１の装置情報収集部１３（装置情報収集手段）は、図１２の矢印に示すように、ネットワークＮ経由もしくはＮＭＳサーバ１に接続されたノード１，２を通じた伝送路経由で、新規ノード３が予め記憶している「装置種別情報」と「ＰＫＧ情報」とを、当該新規ノード３から取得する（図５のステップＳ２１）。なお、新規ノード３は、光ファイバＡ２にてノード２に接続されている場合には、ノード２を介して上述した情報を収集し、光ファイバＡ２が切断されている場合には、ネットワークＮ経由でノード３の情報を収集する。
【００４０】
なお、装置情報収集部１３は、上述したようにノード３の「装置種別情報」と「ＰＫＧ情報」を取得するタイミングで、当該ノード３と隣接して接続されている対向装置であるノード２の「装置種別情報」と「ＰＫＧ情報」も取得して、後述するように接続判定部１４で用いる。但し、ノード２の「装置種別情報」と「ＰＫＧ情報」は、後述するように接続判定部１４では、事前に取得したものを用いてもよい。
【００４１】
ここで、上記「装置種別情報」は、ネットワーク装置であるノードの種別を表す情報であり、例えば、「SDH装置」や「WDM装置」であることを表す情報である。また、上記「ＰＫＧ情報」は、ノード同士が接続するために利用されるインタフェース部の特性を表すインタフェース情報である。例えば、「ＰＫＧ情報」は、ノードが備えるインタフェース部の種別や規格（どのようなクライアント用インタフェースを持っているかという情報：LANのインタフェースなのか？、WDM用のインタフェースなのか？、同軸ケーブル用インタフェースなのか？）、インタフェース部が通信可能な帯域（通信容量）、などの情報である。
【００４２】
続いて、ＮＭＳサーバ１の接続判定部１４（接続判定手段）は、取得したノード３の「装置種別情報」及び「ＰＫＧ情報」と、当該ノード３の対向装置であるノード２の「装置種別情報」及び「ＰＫＧ情報」と、に基づいて、両ノード３，２間に通信経路であるセクションを張ることができるか否かを判定する（図５のステップＳ２２）。具体的に、接続判定部１４は、図１３に示すように、各ノード２，３のＰＫＧ情報から、各ノード２，３のインタフェース部３２ａ，３３ａに互換性があるかを確認する。例えば、各インタフェース部３２ａ，３３ａが同一種別や同一規格であるか、各インタフェース部３２ａ，３３ａの帯域が同一であるか、ということから、互換性があるかを確認する。
【００４３】
接続判定部１４は、各ノード２，３のインタフェース部３２ａ，３３ａの種別が同一で、帯域も同一であるなど、互換性があると判定した場合には（図５のステップＳ２２でＹｅｓ）、さらに「装置種別情報」から、新規ノード３がＷＤＭ装置であるかＳＤＨ装置であるかを判定する（図５のステップＳ２３）。
【００４４】
そして、ＮＭＳサーバ１のセクション設定部１５（セクション設定手段）は、接続判定部１４にて新規ノード３がＷＤＭ装置であると判定された場合には、図１４に示すように、ノード２，３間に光セクションＢ２を設定登録する（図５のステップＳ２４）。一方、セクション設定部１５は、接続判定部１４にて新規ノード３がＳＤＨ装置であると判定された場合には、ノード２，３間にＳＤＨセクションを設定登録する（図５のステップＳ２５）。
【００４５】
ここで、セクション判定部１５にてセクション登録の際には、予め登録ルール記憶部２２に記憶されているセクションを設定することを許容する条件を表す「ルール２」（接続条件情報）を満たすセクションのみを登録する。「ルール２」としては、例えば、設定を許可するセクションの帯域を表す条件が設定される。その一例を以下に示す。但し、以下に示す「ルール２」の内容は一例であって、いかなる内容であってもよい。
【００４６】
「ルール２」の例１．
SDH装置間の伝送路では以下の帯域のセクションのみ張る。
・10Gbps相当のSTM64
・2.5Gbps相当のSTM16
【００４７】
「ルール２」の例２．
光装置間の伝送路では以下の帯域のセクションのみ張る。
・10Gbpsの波長λ1からλ40の40波(10x40Gbps)
・2.5Gbpsの波長λ1からλ40の40波
・10Gbpsの波長λ1からλ80の80波
【００４８】
なお、上述したように、接続判定部１４にて各ノード２，３のインタフェース部３２ａ，３３ａの互換性がない、と判定された場合には（図５のステップＳ２２でＮｏ）、インタフェース部３２ａ，３３ａの下位互換性があるか否かを判定する。例えば、各インタフェース部３２ａ，３３ａの「ＰＫＧ情報」から、当該各インタフェース部３２ａ，３３ａの帯域が異なっていても接続が出来るか、つまり、各インタフェース部３２ａ，３３ａの各帯域のうちいずれか低い方の値の帯域で通信可能であるか、を判定する。一例を挙げると、各インタフェース部が、100MbpsのLANコネクタと、10MbosのLANコネクタである場合に、100MbpsのLANコネクタは10Mbpsとして利用できるため、これらは下位互換性があると判定する。
【００４９】
そして、接続判定部１４は、各インタフェース部３２ａ，３３ａの下位互換性があると判定した場合には（図５のステップＳ２６でＹｅｓ）、上述同様に、「装置種別情報」から、新規ノード３がＷＤＭ装置であるかＳＤＨ装置であるかを判定する（図５のステップＳ２７）。その後、上述同様に、セクション設定部１５は、ノード３の装置種別に応じて、ノード２，３間に「ルール２」の条件を満たす光セクションあるいはＳＤＨセクションを設定登録する（図５のステップＳ２８，Ｓ２９）。
【００５０】
なお、各ノード２，３の各インタフェース部３２ａ，３３ａに互換性、下位互換性がなく、これらの間にセクションが張れないと判定された場合には（ステップＳ２６でＮｏ）、ＮＭＳサーバ１の管理者にその旨を通知する。
【００５１】
上述したようにノード２，３間のセクションを設定した後に、セクション設定部１５は、装置登録・セクション登録結果を、ＮＭＳサーバ１のモニタに表示したり、ネットワーク管理者に通知するなどの処理を行う（図３のステップＳ５）。これにより、セクションで起こった障害やモニタ値などを監視・制御することができる。
【００５２】
以上のように、ネットワークに追加されたノードのＩＰアドレス登録やセクション登録を自動的に行うことで、環境構築が容易となるため、ネットワークの管理の負担を軽減すると共に、セクション登録の作業工数の削減を図ることができる。
【００５３】
＜付記＞
上記実施形態の一部又は全部は、以下の付記のようにも記載されうる。以下、本発明におけるネットワーク管理装置の構成の概略を、図１５を参照して説明する。但し、本発明は、以下の構成に限定されない。
【００５４】
（付記１）
ネットワークに接続された複数のネットワーク装置から、当該ネットワーク装置に装備されており当該ネットワーク装置が他のネットワーク装置と接続するために利用されるインタフェース部の特性を表すインタフェース情報を取得する装置情報収集手段１０１と、
取得した前記インタフェース情報に基づいて、前記各ネットワーク装置が相互に接続可能か否かを判定する接続判定手段１０２と、
前記各ネットワーク装置が接続可能と判定された場合に、当該各ネットワーク装置間の通信経路であるセクションを設定するセクション設定手段１０３と、
を備えたネットワーク管理装置１００。
【００５５】
（付記２）
付記１に記載のネットワーク管理装置であって、
前記インタフェース情報は、前記インタフェース部の種別を表す情報を含んでおり、
前記接続判定手段は、前記インタフェース情報に基づいて、前記各ネットワーク装置の前記各インタフェース部の種別が同一である場合に、前記各ネットワーク装置が相互に接続可能であると判定する、
ネットワーク管理装置。
【００５６】
（付記３）
付記１又は２に記載のネットワーク管理装置であって、
前記インタフェース情報は、前記ネットワーク部において通信可能な通信容量を表す情報を含んでおり、
前記接続判定手段は、前記インタフェース情報に基づいて、前記各ネットワーク装置の前記各インタフェース部の通信容量が同一である場合に、前記各ネットワーク装置が相互に接続可能であると判定する、
ネットワーク管理装置。
【００５７】
（付記４）
付記１又は２に記載のネットワーク管理装置であって、
前記インタフェース情報は、前記ネットワーク部において通信可能な通信容量を表す情報を含んでおり、
前記接続判定手段は、前記インタフェース情報に基づいて、前記各ネットワーク装置の前記各インタフェース部が、当該各インタフェース部の各通信容量のうちいずれか低い方の値の通信容量で通信可能である場合に、前記各ネットワーク装置が相互に接続可能であると判定する、
ネットワーク管理装置。
【００５８】
（付記５）
付記１乃至４のいずれかに記載のネットワーク管理装置であって、
前記各ネットワーク装置間のセクションを設定することを許可する条件を表す接続条件情報が記憶された記憶手段を備え、
前記セクション設定手段は、前記接続条件情報にて表される条件を満たすよう、接続可能であると判定された前記各ネットワーク装置間のセクションを設定する、
ネットワーク管理装置。
【００５９】
（付記６）
付記５に記載のネットワーク管理装置であって、
前記接続条件情報は、設定を許可するセクションの帯域を表す情報であり、
前記セクション設定手段は、前記接続条件情報にて表される帯域を満たす前記各ネットワーク装置間のセクションを設定する、
ネットワーク管理装置。
【００６０】
（付記７）
ネットワークに接続された情報処理装置に、
前記ネットワークに接続された複数のネットワーク装置から、当該ネットワーク装置に装備されており当該ネットワーク装置が他のネットワーク装置と接続するために利用されるインタフェース部の特性を表すインタフェース情報を取得する装置情報収集手段と、
取得した前記インタフェース情報に基づいて、前記各ネットワーク装置が相互に接続可能か否かを判定する接続判定手段と、
前記各ネットワーク装置が接続可能と判定された場合に、当該各ネットワーク装置間の通信経路であるセクションを設定するセクション設定手段と、
を実現させるためのプログラム。
【００６１】
（付記８）
付記７に記載のプログラムであって、
前記インタフェース情報は、前記インタフェース部の種別を表す情報を含んでおり、
前記接続判定手段は、前記インタフェース情報に基づいて、前記各ネットワーク装置の前記各インタフェース部の種別が同一である場合に、前記各ネットワーク装置が相互に接続可能であると判定する、
プログラム。
【００６２】
（付記９）
付記７又は８に記載のプログラムであって、
前記インタフェース情報は、前記ネットワーク部において通信可能な通信容量を表す情報を含んでおり、
前記接続判定手段は、前記インタフェース情報に基づいて、前記各ネットワーク装置の前記各インタフェース部の通信容量が同一である場合に、前記各ネットワーク装置が相互に接続可能であると判定する、
プログラム。
【００６３】
（付記１０）
付記７又は８に記載のネットワーク管理装置であって、
前記インタフェース情報は、前記ネットワーク部において通信可能な通信容量を表す情報を含んでおり、
前記接続判定手段は、前記インタフェース情報に基づいて、前記各ネットワーク装置の前記各インタフェース部が、当該各インタフェース部の各通信容量のうちいずれか低い方の値の通信容量で通信可能である場合に、前記各ネットワーク装置が相互に接続可能であると判定する、
プログラム。
【００６４】
（付記１１）
ネットワークに接続されたネットワーク管理装置にて、
前記ネットワークに接続された複数のネットワーク装置から、当該ネットワーク装置に装備されており当該ネットワーク装置が他のネットワーク装置と接続するために利用されるインタフェース部の特性を表すインタフェース情報を取得し、
取得した前記インタフェース情報に基づいて、前記各ネットワーク装置が相互に接続可能か否かを判定し、
前記各ネットワーク装置が接続可能と判定された場合に、当該各ネットワーク装置間の通信経路であるセクションを設定する、
ネットワーク管理方法。
【００６５】
（付記１２）
付記１１に記載のネットワーク管理方法であって、
前記インタフェース情報は、前記インタフェース部の種別を表す情報を含んでおり、
前記各ネットワーク装置が相互に接続可能か否かを判定する際に、前記インタフェース情報に基づいて、前記各ネットワーク装置の前記各インタフェース部の種別が同一である場合に、前記各ネットワーク装置が相互に接続可能であると判定する、
ネットワーク管理方法。
【００６６】
（付記１３）
付記１１又は１２に記載のネットワーク管理方法であって、
前記インタフェース情報は、前記ネットワーク部において通信可能な通信容量を表す情報を含んでおり、
前記各ネットワーク装置が相互に接続可能か否かを判定する際に、前記インタフェース情報に基づいて、前記各ネットワーク装置の前記各インタフェース部の通信容量が同一である場合に、前記各ネットワーク装置が相互に接続可能であると判定する、
ネットワーク管理方法。
【００６７】
（付記１４）
付記１１又は１２に記載のネットワーク管理方法であって、
前記インタフェース情報は、前記ネットワーク部において通信可能な通信容量を表す情報を含んでおり、
前記各ネットワーク装置が相互に接続可能か否かを判定する際に、前記インタフェース情報に基づいて、前記各ネットワーク装置の前記各インタフェース部が、当該各インタフェース部の各通信容量のうちいずれか低い方の値の通信容量で通信可能である場合に、前記各ネットワーク装置が相互に接続可能であると判定する、
ネットワーク管理方法。
【符号の説明】
【００６８】
１  ＮＭＳサーバ
１１  新規装置登録監視部
１２  空きＩＰアドレス調査・更新部
１３  装置情報収集部
１４  接続可否判定部
１５  セクション設定部
２１  空きＩＰアドレス管理ＤＢ
２２  登録ルール記憶部
３１，３２，３３  ノード
４１  クライアント
Ｎ  ネットワーク
【図１】
0005594131.tif 000002
【図２】
0005594131.tif 000003
【図３】
0005594131.tif 000004
【図４】
0005594131.tif 000005
【図５】
0005594131.tif 000006
【図６】
0005594131.tif 000007
【図７】
0005594131.tif 000008
【図８】
0005594131.tif 000009
【図９】
0005594131.tif 000010
【図１０】
0005594131.tif 000011
【図１１】
0005594131.tif 000012
【図１２】
0005594131.tif 000013
【図１３】
0005594131.tif 000014
【図１４】
0005594131.tif 000015
【図１５】
0005594131.tif 000016